(57)【要約】【課題】ガスを利用しての予熱手段に見られる不具合を解消あるいは軽減することができる支持線付き電線の製造装置を提供する。【解決手段】電熱温風発生器１５からの温風が供給される予熱チャンバ１３を備えた予熱器１２や電磁誘導加熱式の予熱器２２を設ける。そして、これら予熱器１２,２２で予熱した支持線３を電線本体２と共に押出し成形器１１に搬入することで、電線本体２と支持線３とを一体に樹脂被覆してなる支持線付き電線１を製造する。【選択図】        図１
2004199936.tif 000002
【特許請求の範囲】
【請求項１】
電線本体と支持線とを一体に樹脂被覆してなる支持線付き電線の製造方法であって、
前記電線本体と前記支持線とを一体に樹脂被覆する被覆形成工程に先立って当該支持線を予熱する支持線予熱工程を有し、
前記支持線予熱工程では、電熱手段で加熱した温風で前記支持線を予熱する、
ことを特徴とする支持線付き電線の製造方法。
【請求項２】
電線本体と支持線とを一体に樹脂被覆してなる支持線付き電線の製造方法であって、
前記電線本体と前記支持線とを一体に樹脂被覆する被覆形成工程に先立って当該支持線を予熱する支持線予熱工程を有し、
前記支持線予熱工程では、電磁誘導加熱手段で支持線を予熱する、
ことを特徴とする支持線付き電線の製造方法。
【請求項３】
電線本体と支持線とを一体に樹脂被覆してなる支持線付き電線の製造装置であって、
前記支持線を予熱する予熱器と、
前記予熱器で予熱された前記支持線を前記電線本体と一体にして樹脂被覆する押出し成形器とを備え、
前記予熱器は、
前記支持線が挿通される予熱チャンバと、
前記予熱チャンバに温風を供給する電熱温風発生器と、
を有することを特徴とする支持線付き電線の製造装置。
【請求項４】
電線本体と誘導加熱可能な特性を有する支持線とを一体に樹脂被覆してなる支持線付き電線の製造装置であって、
前記支持線を電磁誘導加熱により予熱する予熱器と、
前記予熱器で予熱された前記支持線を前記電線本体と一体にして樹脂被覆する押出し成形器と、
を備えることを特徴とする支持線付き電線の製造装置。
【発明の詳細な説明】
【０００１】
【発明の属する技術分野】
本発明は、漏洩同軸ケーブルなどの支持線付き電線を製造する方法およびその製造装置に関する。
【０００２】
【従来の技術】
支持線付き電線は、外部導体の中心に内部導体を挿通してなる電線本体に沿って単線あるいは縒り線からなる金属製の支持線を配備し、これら電線本体と支持線とを一体に樹脂被覆した構造となっており、被覆形成工程の前に支持線を適度に予熱することで、被覆形成時に支持線が延びてねじれ等が生じることがないようにしている。この支持線の予熱にはガスの燃焼熱が利用されていた（特許文献１参照）。
【０００３】
【特許文献１】
特開平０９−２８８２２４号公報(全文）
【０００４】
【発明が解決しようとする課題】
ガスの燃焼熱を利用して支持線を予熱する従来手段によれば、ガスの燃焼に伴う二酸化炭素の排出、排熱処理、ガス爆発やガス漏れに対する対策、等が必要になるとともに、精度の高い温度管理が困難であり、また、加熱効率が低いためにランニングコストが高くつき、電線製造コストを高める一因となるものであった。
【０００５】
本発明は、このような実情に着目してなされたものであって、電気式に支持線を予熱することで、ガスを利用しての予熱手段に見られた上記不具合を解消あるいは軽減することを課題としている。
【０００６】
【課題を解決するための手段】
本発明では、上記課題を解決するために、次のように構成している。
【０００７】
すなわち、本発明の第１の発明の支持線付き電線の製造方法は、電線本体と支持線とを一体に樹脂被覆してなる支持線付き電線の製造方法であって、前記電線本体と前記支持線とを一体に樹脂被覆する被覆形成工程に先立って支持線を予熱する工程を有し、前記支持線予熱工程では、電熱手段で加熱した温風で支持線を予熱する、ことを特徴とする。
【０００８】
この方法によると、支持線を予熱する温風の温度は電熱手段における電流の制御によって安定維持することができるとともに、任意に設定調整することができる。
【０００９】
本発明の第２の発明の支持線付き電線の製造方法は、電線本体と支持線とを一体に樹脂被覆してなる支持線付き電線の製造装置であって、前記電線本体と前記支持線とを一体に樹脂被覆する被覆形成工程に先立って支持線を予熱する工程を有し、前記支持線予熱工程では、電磁誘導加熱手段で支持線を予熱することを特徴とする。
【００１０】
この方法によると、支持線を予熱する温風の温度は電磁誘導電流の制御によって安定維持することができるとともに、任意に設定調整することができる。
【００１１】
本発明の第３の発明の支持線付き電線の製造装置は、電線本体と支持線とを一体に樹脂被覆してなる支持線付き電線の製造装置であって、前記支持線を予熱する予熱器と、前記予熱器で予熱された前記支持線を前記電線本体と一体にして樹脂被覆する押出し成形器とを備えており、前記予熱器は、前記支持線が挿通される予熱チャンバと、前記予熱チャンバに温風を供給する電熱温風発生器とを有することを特徴とする。
【００１２】
この構成によると、支持線が予熱チャンバを挿通移動する間にチャンバ内の温風によって所定の温度に均一に予熱される。また、予熱チャンバに供給される温風の温度は、電熱温風発生器における電流制御によって安定維持される。
【００１３】
本発明の第４の発明の支持線付き電線の製造装置は、電線本体と誘導加熱可能な特性を備えた支持線とを一体に樹脂被覆してなる支持線付き電線の製造装置であって、前記支持線を電磁誘導加熱により予熱する予熱器と、前記予熱器で予熱された前記支持線を前記電線本体と一体にして樹脂被覆する押出し成形器とを備えることを特徴とする。
【００１４】
この構成によると、支持線が電磁誘導コイル内を挿通移動する間に、電磁誘導によって所定の温度に均一に予熱される。また、電磁誘導コイルに流す電流を制御することで予熱温度が安定維持される。
【００１５】
【発明の実施の形態】
図４および図５に、支持線付き電線の一例である漏洩同軸ケーブル１の外観斜視図とその断面図が示されている。漏洩同軸ケーブル１は、電線本体２とこれに沿って配備された支持線３をポリエチレン樹脂の被覆４を覆って一体化した構造を有している。電線本体２は、アルミパイプ材からなる内部導体５と、この内部導体５に沿って装備されたポリエチレン樹脂からなる螺旋紐状の絶縁スペーサ６と、内部導体５を絶縁スペーサ６を介して挿通支持するポリエチレン製の絶縁パイプ７と、この絶縁パイプ７の外周に巻き付けられた耐熱テープからなる耐熱層８と、耐熱層８の外周に波付きアルミテープを巻き付けてなる外部導体９とから構成されている。
【００１６】
外部導体９の適所には信号漏洩用のスロット１０が切欠き開口されている。支持線３には銅線の撚り線が用いられている。
【００１７】
この漏洩同軸ケーブル１は、支持線３と前もって製造した電線本体２とを押出し成形器に連続供給して被覆を一体成形することで製造されるものである。その製造装置のいくつかの実施の形態を図面に基づいて以下に説明する。
【００１８】
〔第１の実施の形態〕
図１に、本発明に係る支持線付き電線の製造装置の第１の実施の形態が示されている。図において、１１は前記被覆４を形成する押出し成形器である。１２は支持線３を適当な温度（例えば７０°Ｃ）に加熱する予熱器である。支持線３は予熱器１２を通過する間に予熱され、予め製造された電線本体２と共に押出し成形器１１に連続供給される。支持線３と電線本体２とは、互いに平行となった状態で押出し成形器１１に供給される。押出し成形器１１は、連続供給される支持線３と電線本体２との周囲に被覆４を押出し形成する。これにより、押出し成形器１１からは漏洩同軸ケーブル１が送出される。
【００１９】
図２に示すように、予熱器１２は、筒状に構成された予熱チャンバ１３と電熱温風発生器１５とを有している。予熱チャンバ１３は断熱ケース１４内に設置されている。予熱チャンバ１３の両端には支持線挿通用の絞り込み開口が形成されている。このように構成された予熱チャンバ１３に、電熱温風発生器１５から送られてきた温風が供給される。
【００２０】
電熱温風発生器１５は、電熱ヒータ１６によって加熱した温風を電動ファン１７によって送出するよう構成されている。電熱温風発生器１５は、電熱ヒータ１６および電動ファン１７への電流をコントローラ１８によって制御することで温風温度および風量を制御するよう構成されている。予熱チャンバ１３内の温度は温度センサ１９で検出されてコントローラ１８に入力される。コントローラ１８は、検出温度情報に基づいて温風温度および風量をフィードバック制御する。また、予熱チャンバ１３から断熱ケース１４内に流出した温風は電動ファン１７に還元されるように構成されており、これにより熱ロスの削減が図られている。
【００２１】
なお、この例における電熱温風発生器１５の電熱ヒータ１６はいかなる形態のものでもよく、単に電熱線に直接に風を当てるだけのものや、電熱線を組み込んだ断熱材のハニカム体に風を通過させて加熱するもの、などを適宜選択することができる。
【００２２】
〔第２の実施の形態〕
図３に、本発明に係る支持線付き電線の製造装置の第２の実施の形態が示されている。この装置においては、押出し成形器１１の構成は第１の実施の形態と同様である。この装置においては、予熱器２２の構成に特徴がある。予熱器２２は電磁誘導コイル２１の内部に支持線３を挿通移動させることで、支持線３を誘導熱で予熱するよう構成されている。
【００２３】
そして、予熱器２２の出口に配備された温度検出部２３で支持線３の温度を測定し、その検出結果に基づいて電磁誘導コイル２１の電流をフィードバック制御することで、支持線３を所定の温度に安定して予熱するように構成されている。
【００２４】
【発明の効果】
以上の説明から明らかなように、本発明によれば、電熱手段で加熱した温風、あるいは、電磁誘導加熱によって支持線を予熱するものであるから、二酸化炭素の排出、排熱処理、ガス爆発やガス漏れに対する対策等が不要になり、設備コストを低減することができるとともに、電流制御によって精度の高い温度管理が可能となる。
【００２５】
また、電気加熱方式はガス燃焼方式に比べて加熱効率が高いためにランニングコストの低減を図ることができ、ひいては、支持線付き電線の製造コストの低減にも寄与する。
【図面の簡単な説明】
【図１】本発明の支持線付き電線の製造装置の第１の実施の形態を示す概略構成図である。
【図２】予熱器の断側面図である。
【図３】本発明の支持線付き電線の製造装置の第２の実施の形態を示す概略構成図である。
【図４】支持線付き電線の一例である漏洩同軸ケーブルの斜視図である。
【図５】漏洩同軸ケーブルの断面図である。
【符号の説明】
１                支持線付き電線
２                電線本体
３                支持線
１１              押出し成形器
１２                予熱器
１３              予熱チャンバ
１５              電熱温風発生器
２１                電磁誘導コイル
２２                予熱器
【図１】
2004199936.tif 000003
【図２】
2004199936.tif 000004
【図３】
2004199936.tif 000005
【図４】
2004199936.tif 000006
【図５】
2004199936.tif 000007